【手続補正書】
【提出日】令和3年11月19日(2021.11.19)
【手続補正１】
【補正対象書類名】明細書
【補正対象項目名】００２８
【補正方法】変更
【補正の内容】
【００２８】  修正されたアップロードデータおよび／またはその一部を受信すると、他のローカル制御装置は、受信したデータの全てまたは一部を使用して、それに関連付けられた他のフィールド装置を制御する方法を修正することができる。実施形態では、他のローカル制御装置またはそのユーザは、受信した修正されたアップロードデータを調査して、全ての有害なプロセスを除外し、および／または修正されたアップロードデータを使用することによる生産性の可能な損失と利益を推定する。他のローカル制御装置は、受信した修正されたアップロードデータを使用するかどうかをさらに判断することができる。
【手続補正２】
【補正対象書類名】明細書
【補正対象項目名】００３８
【補正方法】変更
【補正の内容】
【００３８】  さらなる実施形態によれば、中央制御装置は、ローカル制御装置および他のローカル制御装置が設けられる位置とは異なる位置に配置され、または中央制御装置は、ローカル制御装置または他のローカル制御装置が設けられる位置と同じ位置に配置される。
【手続補正３】
【補正対象書類名】明細書
【補正対象項目名】００４５
【補正方法】変更
【補正の内容】
【００４５】  第４の態様によれば、ローカル制御装置および別のローカル制御装置に通信可能に接続される、第３の態様または第３の態様の実施形態による自動化システムの中央制御装置が提供される。中央制御装置は、  ローカル制御装置からアップロードデータおよび／または修正されたアップロードデータを受信するアップロードデータ受信部と、  受信したアップロードデータに基づいて、および／または修正されたアップロードデータおよび／またはその一部を他のローカル制御装置に送信すべきかどうかを判断するため、修正されたアップロードデータを生成する中央人工知能アルゴリズムを使用して、受信したアップロードデータおよび／または受信した修正されたアップロードデータを処理する処理部と、  修正されたアップロードデータおよび／またはその一部を他のローカル制御装置に送信する送信部と、を含む。
【手続補正４】
【補正対象書類名】明細書
【補正対象項目名】００５５
【補正方法】変更
【補正の内容】
【００５５】  ステップＳ１において、ローカル制御装置２は、制御データＣＤを使用して関連付けられたフィールド装置３の動作を制御する。フィールド装置３の動作の制御は、ローカル制御装置２の制御部２１（図３参照）によって行われる。制御データＣＤは、構成データに基づいてローカル制御装置２によって生成される。制御データＣＤは、ケーブル１５を介してローカル制御装置２から関連付けられたフィールド装置３に送信される。例えば、制御データＣＤは、フィールド装置３がラベルに所定量の接着剤を塗布し、所定の力でボトルにラベルを押し付け、接着剤を所定の温度で加熱して乾燥させることにより、ボトルにラベルを貼付するべきであることを示す。そして、フィールド装置３は、受信した制御データＣＤに従って動作する。  詳しくは、ローカル制御装置２の指示に従って、ボトルにラベルを貼付する。
【手続補正５】
【補正対象書類名】明細書
【補正対象項目名】００７７
【補正方法】変更
【補正の内容】
【００７７】  ステップＳ１１において、他のローカル制御装置４は、受信した修正されたアップロードデータＭＵＤが他のフィールド装置６の動作を改善するのに有用であったかどうかを示すフィードバックデータを生成する。フィードバックデータは、関連付けられた他のフィールド装置６から他のローカル制御装置４が受信した監視データＭＤ’に基づいて生成される。
【手続補正６】
【補正対象書類名】明細書
【補正対象項目名】００８２
【補正方法】変更
【補正の内容】
【００８２】  ローカル制御装置２、４、７、９は全て、無線通信チャネル１０を介して中央制御装置５に無線で接続される。自動化システム１００は、上述した方法に従って動作して、中央制御装置５によって判断されたとおり、任意の他のローカル制御装置４、７および９に、修正されたアップロードデータＭＵＤまたはその一部を提供することができる。
【手続補正７】
【補正対象書類名】特許請求の範囲
【補正対象項目名】請求項１
【補正方法】変更
【補正の内容】
【請求項１】
ローカル制御装置（２）および前記ローカル制御装置（２）に関連付けられた少なくとも１つのフィールド装置（３）を含む自動化システム（１、１００）の操作方法であって、  前記ローカル制御装置（２）によって生成された制御データ（ＣＤ）に基づいて、前記ローカル制御装置（２）によって前記フィールド装置（３）の動作を制御する（Ｓ１）ステップと、  前記ローカル制御装置（２）において、前記フィールド装置（３）から前記フィールド装置（３）の制御された動作を記述する監視データ（ＭＤ）を受信する（Ｓ２）ステップと、  前記ローカル制御装置（２）において、前記監視データ（ＭＤ）に基づき、前記ローカル制御装置（２）がその制御データ（ＣＤ）を生成するための基礎となるデータである前記ローカル制御装置（２）の構成データを修正する（Ｓ３）ステップと、  前記ローカル制御装置（２）において、前記構成データの修正に関する情報および／または前記構成データの修正による前記フィールド装置（３）の動作の変更に関する情報を含むアップロードデータ（ＵＤ）を生成する（Ｓ４）ステップと、  前記ローカル制御装置（２）および／または前記ローカル制御装置（２）に通信可能に接続された中央制御装置（５）において、特定の情報をアップロードデータ（ＵＤ）から削除、暗号化、および／またはマスキングして（Ｓ５）、修正されたアップロードデータ（ＭＵＤ）を生成するステップと、 他のローカル制御装置（４）が使用するために、前記修正されたアップロードデータ（ＭＵＤ）および／またはその一部を提供する（Ｓ６）ステップと、  前記中央制御装置（５）において、前記ローカル制御装置（２）と前記他のローカル制御装置（４）との間の類似性を示す類似性データに基づいて、および／または特定のカテゴリの前記修正されたアップロードデータ（ＭＵＤ）を前記他のローカル制御装置（４）に送信すべきかどうかを示す過去のデータに基づいて、前記修正されたアップロードデータ（ＭＵＤ）および／またはその一部を前記他のローカル制御装置（４）に送信すべきかどうかを判断する（Ｓ５１）ステップと、  前記中央制御装置（５）が、前記修正されたアップロードデータ（ＭＵＤ）および／またはその一部を前記他のローカル制御装置（４）に送信すべきであると判断した場合、前記修正されたアップロードデータ（ＭＵＤ）および／またはその一部を前記他のローカル制御装置（４）に送信する（Ｓ６’）ステップと、  前記他のローカル制御装置（４）において、受信した前記修正されたアップロードデータ（ＭＵＤ）は、前記他のローカル制御装置（４）が前記他のローカル制御装置（４）に関連付けられた前記他のフィールド装置（６）の動作を改善するのに有用であったかどうかを示すフィードバックデータを生成する（Ｓ１１）ステップと、  前記フィードバックデータを前記中央制御装置（５）に送信する（Ｓ１２）ステップと、  前記フィードバックデータを前記中央制御装置（５）の過去のデータに組み込む（Ｓ１３）ステップと、を含む方法。 
【手続補正８】
【補正対象書類名】特許請求の範囲
【補正対象項目名】請求項７
【補正方法】変更
【補正の内容】
【請求項７】
前記中央制御装置（５）は、前記ローカル制御装置（２）および前記他のローカル制御装置（４）が設けられる位置とは異なる位置に配置され、または前記中央制御装置（５）は前記ローカル制御装置（２）または前記他のローカル制御装置（４）が設けられる位置と同じ位置に配置される、請求項６に記載の方法。 
【手続補正９】
【補正対象書類名】特許請求の範囲
【補正対象項目名】請求項９
【補正方法】変更
【補正の内容】
【請求項９】
ローカル制御装置（２）と、 他のローカル制御装置（４）と、  前記ローカル制御装置（２）に関連付けられた少なくとも１つのフィールド装置（３）と、  前記ローカル制御装置（２）および前記他のローカル制御装置（４）に通信可能に接続され中央制御装置（５）を含む自動化システム（１、１００）であって、  前記ローカル制御装置（２）は、  前記ローカル制御装置（２）によって生成された制御データ（ＣＤ）に基づいて前記フィールド装置（３）の動作を制御する制御部（２１）と、  前記フィールド装置（３）から前記フィールド装置（３）の制御された動作を記述する監視データ（ＭＤ）を受信する受信部（２２）と、を含み、  前記監視データ（ＭＤ）に基づき、前記ローカル制御装置（２）がその制御データ（ＣＤ）を生成するための基礎となるデータである前記ローカル制御装置（２）の構成データを修正する修正部（２３）と、  前記構成データの修正に関する情報および／または前記構成データの修正による前記フィールド装置（３）の動作の変化に関する情報を含むアップロードデータ（ＵＤ）を生成する生成部（２４）と、を含み、  前記自動化システム（１、１００）は、  特定の情報を前記アップロードデータ（ＵＤ）から削除、暗号化、および／またはマスキングして、修正されたアップロードデータ（ＭＵＤ）を生成する保護部（２５）と、 前記他のローカル制御装置（４）が使用するために、前記修正されたアップロードデータ（ＭＵＤ）および／またはその一部を提供する提供部（２６）をさらに含み、  前記中央制御装置（５）は、前記ローカル制御装置（２）と前記他のローカル制御装置（４）との間の類似性を示す類似性データに基づいて、および／または特定のカテゴリの前記修正されたアップロードデータ（ＭＵＤ）を前記他のローカル制御装置（４）に送信すべきかどうかを示す過去のデータに基づいて、前記修正されたアップロードデータ（ＭＵＤ）および／またはその一部を前記他のローカル制御装置（４）に送信すべきかどうかを判断するように構成され、  前記中央制御装置（５）は、前記修正されたアップロードデータ（ＭＵＤ）および／またはその一部を前記他のローカル制御装置（４）に送信すべきであると判断した場合、前記修正されたアップロードデータ（ＭＵＤ）および／またはその一部を前記他のローカル制御装置（４）に送信するように構成され、  前記他のローカル制御装置（４）は、受信した前記修正されたアップロードデータ（ＭＵＤ）が、前記他のローカル制御装置（４）が前記他のローカル制御装置（４）に関連付けられた前記他のフィールド装置（６）の動作を改善するのに有用であったかどうかを示すフィードバックデータを生成するように構成され、  前記他のローカル制御装置（４）は、前記フィードバックデータを前記中央制御装置（５）に送信するように構成され、  前記中央制御装置（５）は、前記フィードバックデータを前記中央制御装置（５）の前記過去のデータに組み込むように構成される、自動化システム（１、１００）。 
【手続補正１０】
【補正対象書類名】特許請求の範囲
【補正対象項目名】請求項１２
【補正方法】変更
【補正の内容】
【請求項１２】
前記中央制御装置（５）は、前記保護部（２５）と、前記提供部（２６）と、および／または前記類似性データおよび／または前記過去のデータに基づいて、前記修正されたアップロードデータ（ＭＵＤ）を前記他のローカル制御装置（４）に送信すべきかどうかを判断する判断部（２７）を含む、請求項９〜１１のいずれか一項に記載の自動化システム。 
【手続補正１１】
【補正対象書類名】特許請求の範囲
【補正対象項目名】請求項１３
【補正方法】変更
【補正の内容】
【請求項１３】
ローカル制御装置（２）および他のローカル制御装置（４）に通信可能に接続される、自動化システム（１、１００）の中央制御装置（５、５０）であって、        前記ローカル制御装置（２）からアップロードデータ（ＵＤ）および／または修正されたアップロードデータ（ＭＵＤ）を受信するアップロードデータ受信部（５１）と、  受信した前記アップロードデータ（ＵＤ）に基づいて、前記修正されたアップロードデータ（ＭＵＤ）を生成するために、および／または、前記修正されたアップロードデータ（ＭＵＤ）および／またはその一部を前記他のローカル制御装置（４）に送信すべきかどうかを判断するために、中央人工知能アルゴリズムを使用して、受信したアップロードデータ（ＵＤ）および／または受信した前記修正されたアップロードデータ（ＭＵＤ）を処理する処理部（５２）と、  前記修正されたアップロードデータ（ＭＵＤ）および／またはその一部を前記他のローカル制御装置（４）に送信する送信部（５３）と、を含み、  前記処理部（５２）は、受信した前記アップロードデータ（ＵＤ）から特定の情報を削除、暗号化および／またはマスキングすることによって、前記修正されたアップロードデータ（ＭＵＤ）を生成するように構成され、  前記処理部（５２）は、前記ローカル制御装置（２）と前記他のローカル制御装置との間の類似性を示す類似性データに基づいて、および／または特定のカテゴリの前記修正されたアップロードデータ（ＵＤ）を前記他のローカル制御装置（４）に送信すべきかどうかを示す過去のデータに基づいて、前記修正されたアップロードデータ（ＭＵＤ）を前記他のローカル制御装置（４）に送信すべきかどうかを判断するように構成され、  前記処理部（５２）は、前記他のローカル制御装置（４）によって生成された、受信した前記修正されたアップロードデータ（ＭＵＤ）は、前記他のローカル制御装置（４）が前記他のローカル制御装置（４）に関連付けられた前記他のフィールド装置（６）の動作を改善するのに有用であったかどうかを示すフィードバックデータを受信するように構成され、  前記処理部（５２）は、前記フィードバックデータを前記中央制御装置（５）の前記過去のデータに組み込むように構成される、中央制御装置（５、５０）。